(57)【要約】      （修正有）【課題】夜間歩行等における安全確保のためライトをつけた帽子等の身体装着具において、構造的に小型でコンパクトにして軽量となり、外観上の体裁見栄えが良く、充電も容易に可能な身体装着具を提供する。【解決手段】クラウン１及びヒサシ２の夫々所要箇所にＬＥＤライト３，４を取り付け、これらのＬＥＤライト３，４を電気的につなぐ電線５をヒサシ２内部及びクラウン１内部に夫々に配線すると共に、充電用電池６をクラウン１内に充電可能に装備している。【選択図】図２
0003159855.tif 000002
【実用新案登録請求の範囲】
【請求項１】
身体装着具本体の所要箇所にＬＥＤライトを取り付け、これらＬＥＤライトを電気的につなぐ電線を身体装着具本体内に配線すると共に、ＬＥＤライトの電源としての充電用電池を備えてなる身体装着具。
【請求項２】
身体装着具は帽子であって、クラウン及びヒサシの夫々所要箇所にＬＥＤライトを取り付け、これらのＬＥＤライトを電気的につなぐ電線をヒサシ内部及びクラウン内部に夫々に配線すると共に、充電用電池をヒサシ内部又はクラウン内部に充電可能に装備したことを特徴とする請求項１に記載の身体装着具。
【請求項３】
前記充電用電池は、クラウン裏側のヒサシ基端部に一端部を縫い付けた電池取付用基布の裏側に設けたポケットに挿入配備されていて、ポケットの開口側に充電用アダプタのコネクタを接続するための接続端子を有し、前記基布は、帽子着用時に、そのポケットがクラウンの前部裏面に当接する状態でクラウンと着用者の前頭部との間に挟み込ませるようにしたことを特徴とする請求項２に記載の身体装着具。
【請求項４】
前記充電用電池は、ヒサシの内部に埋設されていて、この電池には、充電用アダプタのコネクタを接続するための接続端子をクラウン内へ延出させるようにしたことを特徴とする請求項２に記載の身体装着具。
【請求項５】
ヒサシの裏面側所要部に、ヒサシ側ＬＥＤライト及びクラウン側ＬＥＤライトの点灯用押し釦スイッチを設けたことを特徴とする請求項２〜４の何れかに記載の身体装着具。
【請求項６】
身体装着具はヘルメット用安全具であって、ヘルメットの外周部に取外し可能に取り付けられる取付用ベルトを有し、この取付用ベルトの所要箇所にＬＥＤライトを取り付け、これらＬＥＤライトを電気的につなぐ電線を取付用ベルト内に配線すると共に、ＬＥＤライトの電源としての充電用電池を備えてなる請求項１に記載の身体装着具。
【請求項７】
身体装着具は腕章であって、着用者の腕に取り付けられ帯状本体を有し、この帯状本体の所要箇所にＬＥＤライトを取り付け、これらＬＥＤライトを電気的につなぐ電線を帯状本体内に配線すると共に、ＬＥＤライトの電源としての充電用電池を帯状本体内に装備してなる請求項１に記載の身体装着具。
【考案の詳細な説明】
【技術分野】
【０００１】
本考案は、夜間などでの歩行時やジョギング時などに、行き交う人や走行する自動車などに自分の存在を知らせて、安全を確保できるようにライトを取り付けた、帽子その他の身体装着具に関する。
【背景技術】
【０００２】
例えば、従来のライト付き帽子として、下記特許文献１に記載されたものがある。この帽子は、小電球を組み込んだライト本体を、ヒサシの先端に着脱自在に挟着したクリップにより上下左右調節可能に取り付け、且つライト本体から導出した電線を帽子の側面あるいは頭部に導き、後頭部にクリップによって取り外し可能に取り付けたスイッチ付き電池ケースに連結させたものである。
【先行技術文献】
【特許文献】
【０００３】
【特許文献１】登録実用新案第３０５００８９号公報
【考案の概要】
【考案が解決しようとする課題】
【０００４】
上記従来のライト付き帽子は、ライト本体及び電池ケースが夫々構造的に可なり大きく重いために、ヒサシと帽子の後頭部に取り付けると、外観上の体裁・見栄えが悪い上に、帽子に可なりの荷重がかかって圧迫感が強く、長時間かぶり続けることが困難で、ジョギングなどには不適当である。また、普通の電球を使用すると共に、電池ケースには普通の乾電池を用いるため、電池の消耗が早く、電池のコストが非常に高くつくと云った問題がある。
【０００５】
本考案は、構造的に小型、コンパクトにして軽量であり、外観上の体裁見栄えが良く、しかも充電が可能で、きわめて経済的な身体装着具を提供することを目的とする。
【課題を解決するための手段】
【０００６】
上記課題を解決するための手段を、後述する実施形態の参照番号を付して説明すると、請求項１に係る考案の身体装着具は、身体装着具本体１，２，１８，２０の所要箇所にＬＥＤライト３，４を取り付け、これらＬＥＤライト３，４を電気的につなぐ電線５を身体装着具本体１，２，１８，２０内に配線すると共に、ＬＥＤライト３，４の電源としての充電用電池６を備えてなることを特徴とする。
【０００７】
請求項２は、請求項１に記載の身体装着具において、身体装着具は帽子であって、クラウン１及びヒサシ２の夫々所要箇所にＬＥＤライト３，４を取り付け、これらのＬＥＤライト３，４を電気的につなぐ電線５をヒサシ２内部及びクラウン１内部に夫々に配線すると共に、充電用電池６をヒサシ２内部又はクラウン１内部に充電可能に装備したことを特徴とする。
【０００８】
請求項３は、請求項２に記載の身体装着具において、充電用電池６は、クラウン１裏側のヒサシ２基端部に一端部を縫い付けた電池取付用基布８の裏側に設けたポケット１１に挿入配備されていて、ポケット１１の開口側に充電用アダプタ１２のコネクタ１２ｏを接続するための接続端子６ｏを有し、前記基布８は、帽子着用時に、そのポケット１１がクラウン１の前部裏面に当接する状態でクラウン１と着用者の前頭部１３ａとの間に挟み込ませるようにしたことを特徴とする。
【０００９】
請求項４は、請求項２に記載の身体装着具において、充電用電池６は、ヒサシ２の内部に埋設されていて、この電池６には、充電用アダプタ１２のコネクタ１２ｏを接続するための接続端子６ｏをクラウン１内へ延出させるようにしたことを特徴とする。
【００１０】
請求項５は、請求項２〜４の何れかに記載の身体装着具において、ヒサシ２の裏面側所要部に、ヒサシ２側ＬＥＤライト３及びクラウン１側ＬＥＤライト４の点灯用押し釦スイッチ７を設けたことを特徴とする。
【００１１】
請求項６は、請求項１に記載の身体装着具において、身体装着具はヘルメット用安全具であって、ヘルメット１７の外周部に取外し可能に取り付けられる取付用ベルト１８を有し、この取付用ベルト１８の所要箇所にＬＥＤライト４を取り付け、これらＬＥＤライト４を電気的につなぐ電線５を取付用ベルト１８内に配線すると共に、ＬＥＤライト４の電源としての充電用電池６を備えてなることを特徴とする。
【００１２】
請求項７は、請求項１に記載の身体装着具において、身体装着具は腕章であって、着用者の腕に取り付けられ帯状本体２０を有し、この帯状本体２０の所要箇所にＬＥＤライト４を取り付け、これらＬＥＤライト４を電気的につなぐ電線５を帯状本体２０内に配線すると共に、ＬＥＤライト４の電源としての充電用電池６を帯状本体２０内に装備してなることを特徴とする。
【考案の効果】
【００１３】
上記解決手段による考案の効果を、後述する実施形態の参照番号を付して説明すると、請求項１に係る考案の身体装着具は、身体装着具本体１，２，１８，２０の所要箇所にＬＥＤライト３，４を取り付け、これらＬＥＤライト３，４を電気的につなぐ電線５を身体装着具本体１，２，１８，２０内に配線すると共に、ＬＥＤライト３，４の電源としての充電用電池６を備えたものであるから、構造が小型且つコンパクトで軽量となり、外観上の体裁見栄えが良く、しかも電池の充電ができるため非常に経済的である。
【００１４】
請求項２に係る考案によれば、身体装着具が帽子の場合には、クラウン１及びヒサシ２の夫々所要箇所にＬＥＤライト３，４を取り付け、これらＬＥＤライト３，４を電気的につなぐ電線５をヒサシ２内部及びクラウン１内部に夫々に配線すると共に、充電用電池６をヒサシ２内部又はクラウン１内部に充電可能に装備しているから、構造的に小型にして、コンパクトとなって嵩張らず、軽量となり、帽子Ａを長時間被っても、頭部を圧迫するようなことがなく、ジョギングなどにも好適であり、そして帽子Ａの外周部に小さなＬＥＤライト３，４が露出するだけであるため、外観上の体裁を損なわず、見栄えが良くなる。また光源として発光ダイオードからなるＬＥＤライト３，４を使用するため、普通の電球に比べ、消費電力が非常に少なく、しかも電池６は充電用電池であって、容易に充電可能であるため、きわめて経済的となる。
【００１５】
請求項３に係る考案によれば、充電用電池６は、クラウン１裏側のヒサシ２基端部に一端部を縫い付けた電池取付用基布８の裏側に設けたポケット１１に挿入配備されていて、ポケット１１の開口側に充電用アダプタ１２のコネクタ１２ｏを接続する接続端子６ｏを有し、基布８は、帽子着用時に、そのポケット１１がクラウン１の前部裏面に当接する状態でクラウン１と着用者の前頭部１４との間に挟み込ませるようにしているから、電池が少なくなって充電を要する時は、一端部側縫い付け部９を中心に他端部側を引き出して、ヒサシ２の裏面側に折り返すようにすれば、電池６の接続端子６ｏに充電用ＡＣアダプタ１２のコネクタ１２ｏを差し込むことにより、容易に充電することができる。
【００１６】
請求項４に係る考案によれば、充電用電池６はヒサシ２の内部に埋設されていて、電池６には充電用アダプタ１２のコネクタ１２ｏを接続する接続端子６ｏをクラウン１内へ延出させるようにしたから、構造がより簡単でコンパクトとなり、体裁もよくなり、充電も容易となる。
【００１７】
請求項５に係る考案によれば、ヒサシ側ＬＥＤライト及びクラウン側ＬＥＤライトの点灯用の押し釦スイッチ７を設けているため、ＬＥＤライト３，４のＯＮ・ＯＦＦ操作が容易となる。
【００１８】
請求項６に係る考案のように、身体装着具がヘルメット用安全具である場合には、高速道路の料金収受員、交通整理作業員、自転車で登下校中の子供などの安全を守るために、ヘルメット１７に取り付けて使用すれば、構造が小型且つコンパクトで軽量であるから、ヘルメット１７が重くならず、充電用電池６は、ヘルメット１７内に容易に収容させることができると共に、必要時に簡単に充電することができる。
【００１９】
請求項７に係る考案のように、身体装着具が腕章である場合には、帯状本体２０を着用者の腕に取り付けて使用すれば、夜間の安全パトロールを行うような時に、ＬＥＤライト４の発光によって良く目立ち、非常に有効であり、そして充電用電池６は、帯状本体２０内に装備したまま使用できると共に、必要時に簡単に充電することができる。
【図面の簡単な説明】
【００２０】
【図１】(a) は本考案に係る身体装着具の一実施形態としての帽子を正面側から見た外観斜視図、(b) は背面図である。
【図２】同帽子を裏側から見た斜視図で、(a) は電池取付用基布をクラウン内に納めた状態を示し、(b) は電池取付用基布をクラウンからヒサシの裏面側へ引き出した状態を示す。
【図３】同帽子の縦断側面図である。
【図４】(a) は同帽子の電気回路図、(b) は充電用アダプタを示す斜視図である。
【図５】(a) は本考案に係る帽子の別の実施形態を示す一部縦断側面図、(b) は同帽子を裏側から見た斜視図である。
【図６】(a) は本考案に係る身体装着具の他の実施形態としてのヘルメット用安全具をヘルメットに取り付けた使用状態を示す外観斜視図、(b) は同ヘルメット用安全具の拡大斜視図である。
【図７】(a) は本考案に係る身体装着具の更に他の実施形態としての腕章の使用状態を示す外観図、(b) は同腕章の拡大斜視図である。
【考案を実施するための形態】
【００２１】
以下に本考案の好適な実施形態について図面を参照しながら説明すると、図１〜図３には本考案に係る身体装着具としての帽子Ａを示している。この帽子Ａは、クラウン１の前部側にヒサシ２を突設してなるもので、ヒサシ２の先端中央部１箇所とクラウン１の後端部２箇所（図１の(b) 参照）との３箇所に夫々発光ダイオードからなるＬＥＤライト３，４，４を取り付け、これらＬＥＤライト３，４，４を電気的につなぐ電線５をヒサシ２内部及びクラウン１内部夫々に配線すると共に、充電用電池６をクラウン１に充電可能に内蔵している。尚、この実施形態の帽子Ａでは、クラウン１及びヒサシ２が身体装着具本体とする。
【００２２】
上記帽子Ａの構造について更に詳しく説明すれば、ヒサシ２の先端中央部のＬＥＤライト３は、図１の(a) 及び図３に示すように、ヒサシ２の周縁部に埋設された状態に取り付けられている。即ち、ヒサシ２は芯材２ａとこれを被う表側被材２ｂ及び裏側被材２ｃとからなるもので、芯材２ａの先端中央部を適宜切除した部分にＬＥＤライト３が埋め込まれた状態に取り付けてあって、このＬＥＤライト３は、ヒサシ２の先端中央部から前方へ光を照射するようになっている。このＬＥＤライト３より導出した電線５は、芯材２ａと裏側被材２ｃとの間に通されている。そして、クラウン１側ＬＥＤライト４，４の電線５は、図２の(a) ，(b) に示すように、クラウン１内の周縁沿いに縫い付けられて内側へ折り返されているビン皮（汗取りバンド）１０の内側に配線されている。尚、図１及び図２において、１６はクラウン１のアジャスタを示す。
【００２３】
充電用電池６は、図１，図２に示すように、クラウン１の裏側のヒサシ２基端部に一端部を縫い付けた電池取付用基布８の裏側に設けてあるポケット９に挿入配備されている。即ち、電池取付用基布８は、例えば略半円形状に形成されたクッション性を有する厚手のもので、この半円形の弦の部分（基布８の一端部）がヒサシ２の基端部に縫い付けられて常時は図２の(a) 及び図３に示すようにクラウン１の前部裏面に添わせた状態に配置し、必要に応じて図２の(b) に示すように、一端部側縫い付け部９（図３参照）を中心として他端部側を外側へ引っ張り出してビン皮１０を跨いだ状態で、ヒサシ２の裏面側に折り返すことができるようにしている。
【００２４】
そして、前記電池取付用基布８にはその裏側（クラウン１の前部裏面に当接しうる側）にポケット１１が設けられ、ポケット１１は電池取付用基布８の先端側に開口していて、このポケット１１に充電用電池６が挿入配備されている。ポケット１１に挿入配備された充電用電池６は、図２の(b) に示すようにポケット１１の開口側に接続端子６ｏを有し、この接続端子６ｏに図４の(b) に示すような充電用ＡＣアダプタ１２のコネクタ１２ｏを差し込むことにより、充電するようになっている。この充電用ＡＣアダプタ１２のプラグ１２ａは、最寄りのコンセント１３に差し込めばよい。
【００２５】
この電池取付用基布８は、帽子Ａの着用時には、図３に示すようにポケット１１がクラウン１の前部裏面に当接する状態でクラウン１と着用者の前頭部１４との間に挟み込ませるようになっている。
【００２６】
また、図２及び図３に示すように、ヒサシ２の裏面側先端部には、ヒサシ２側のＬＥＤライト３及びクラウン１側のＬＥＤライト４，４を点灯させる押し釦スイッチ７が設けられている。この押し釦スイッチ７は、例えば図４に示すライト付き帽子Ａの電気回路図のように、ＯＦＦの状態から１回押すと、ヒサシ２側のＬＥＤライト３が点灯し、２回押すと、ヒサシ２側のＬＥＤライト３が点灯したままでクラウン１側の２つのＬＥＤライト４，４が点灯し、３回押すと、ＯＦＦとなって、全てのＬＥＤライト３，４，４が消灯するようになっている。
【００２７】
図１〜図３によって説明したようなライト付き帽子Ａによれば、クラウン１及びヒサシ２の夫々所要箇所には発光ダイオードからなるＬＥＤライト３，４を取り付け、これらのＬＥＤライト３，４を電気的につなぐ電線５をヒサシ２内部及びクラウン１内部に夫々に配線すると共に、電池６をクラウン１内に装備してなるものであるから、構造的に小型にして且つコンパクトとなって嵩張らず、軽量となり、帽子Ａを長時間被っても、頭部を圧迫するようなことがなく、ジョギングなどにも好適であり、しかも帽子Ａの外周部に小さなＬＥＤライト３，４，４が露出するだけであるため、外観上の体裁を損なわず、見栄えが良くなる。そして、光源として発光ダイオードからなるＬＥＤライト３，４を使用するため、消費電力が少なく、きわめて経済的である。
【００２８】
そして、電池６は、充電用電池であって、クラウン１裏側のヒサシ２基端部に一端部を縫い付けた電池取付用基布８の裏側に設けたポケット１１に挿入配備されていて、ポケット１１の開口側に充電用アダプタ１２のコネクタ１２ｏを接続するための接続端子６ｏを有し、この基布８は、帽子着用時に、ポケット１１がクラウン１の前部裏面に当接する状態でクラウン１と着用者の前頭部１４ａとの間に挟み込ませるようにしているから、電池が少なくなって充電を要する時は、図２の(a) ，(b) に示すように、一端部側縫い付け部９を中心に他端部側を引き出して、ヒサシ２の裏面側に折り返すようにすれば、この充電用電池６の接続端子６ｏがポケット１１の開口側に露出するから、この接続端子６ｏに充電用ＡＣアダプタ１２のコネクタ１２ｏを差し込むことにより、簡単容易に充電することができる。
【００２９】
図５は本考案の他の実施形態による帽子Ｂを示す一部縦断側面図、(b) は同ライト付き帽子を裏側から見た斜視図である。この帽子Ｂにおいては、充電用電池６がヒサシ２の内部に埋設されており、そしてこの電池６には、充電用アダプタ１２のコネクタ１２ｏを接続するための接続端子６ｏが導線１５を介してヒサシ２の基端部側からクラウン１内へ延出されている。
【００３０】
即ち、この帽子Ｂでは、ヒサシ２を形成する例えば２枚の芯材２ａ，２１ａ間の先端部にＬＥＤライト３を取り付け、両芯材２ａ，２１ａ間の後部側に充電用電池６を介在させた状態で、両芯材２ａ，２ａを表側被材２ｂ及び裏側被材２ｃによって被包したもので、この充電用電池６には、充電用アダプタ１２のコネクタ１２ｏ（図４の(b) 参照）を接続するための接続端子６ｏを、導線１５によりヒサシ２の基端部からクラウン１内へ延出させ、この接続端子６ｏにアダプタ１２のコネクタ１２ｏを差し込むことによって、充電できるようにしたものである。他の構成については、図１〜図３に示すライト付き帽子Ａとほとんど同である。また、この実施形態の帽子Ａも、クラウン１及びヒサシ２が身体装着具本体とする。
【００３１】
このような帽子Ｂによれば、充電用電池６をヒサシ２内部に埋設するから、図１〜図３に示す帽子Ａのような電池取付用基布８が不要となり、構造がより簡単でコンパクトとなり、体裁もよくなる。
【００３２】
また上述した帽子Ａ，Ｂでは、ヒサシ２の裏面側先端部に、ヒサシ側ＬＥＤライト及びクラウン側ＬＥＤライトの点灯用押し釦スイッチ７を設けているため、ＬＥＤライト３，４，４のＯＮ・ＯＦＦ操作が容易となる。
【００３３】
図６の(a) は本考案に係る身体装着具の他の実施形態としてのヘルメット用安全具Ｃをヘルメット１７に取り付けた使用状態を示す外観斜視図、(b) は同安全具Ｃの拡大斜視図である。このヘルメット用安全具Ｃは、ヘルメット１７の外周部に取外し可能に取り付けられる取付用ベルト１８（身体装着具本体）を有し、この取付用ベルト１８には同図(b) に示すように複数個のＬＥＤライト４を所要間隔おきに取り付け、これらＬＥＤライト４を電気的につなぐ電線５を取付用ベルト１８内に配線すると共に、ＬＥＤライト４の電源としての充電用電池６を備えてなるもので、複数個のＬＥＤライト４は、充電用電池６に設けてあるスイッチＳをオンにすると、例えば点滅を繰り返すようになっている。
【００３４】
そして、取付用ベルト１８の内側面には面状ファスナー１９を全長に亘って取り付け、この面状ファスナー１９は、ヘルメット１７のベルト取付領域に取り付けられる面状ファスナー（図示せず）に絡合させることによって取付用ベルト１８をヘルメット１７に固定するようになっている。また、充電用電池６は接続端子６ｏを有し、この接続端子６ｏに図４の(b) に示すような充電用ＡＣアダプタ１２のコネクタ１２ｏを差し込んで充電するようになっている。
【００３５】
このヘルメット用安全具Ｃは、高速道路の料金収受員、交通整理作業員、工事現場作業員、あるいは自転車で登下校中の子供などの安全を守るために、図６の(a) に示すようにヘルメット１７に取り付けて使用するもので、ＬＥＤライト４が発光することによって、自分の存在を視認させ、注意を促すことができる。そして、この安全具Ｃの電池６は充電用電池で、必要時に簡単容易に充電することができる。尚、充電用電池６は、ヘルメット１７の内側に面状ファスナーあるいは粘着テープなどによって固定しておけばよい。
【００３６】
図７の(a) は本考案に係る身体装着具の更に他の実施形態としての腕章Ｄを着用者の腕に取り付けた使用状態を示す外観斜視図、(b) は同腕章Ｄの拡大斜視図である。この腕章Ｄは着用者の腕に取り付けられ帯状本体２０（身体装着具本体）を有し、この帯状本体２０の所要箇所にＬＥＤライト４を取り付け、これらＬＥＤライト４を電気的につなぐ電線５を帯状本体２０内に配線すると共に、ＬＥＤライト４の電源としての充電用電池６を装備してなるもので、図７の(b) に示すように、帯状本体２０の内側面にはポケット２１を設けて、これに前記充電用電池６を収納し、そして帯状本体２０の一端部内面側に面状ファスナー２２を取り付け、帯状本体２０の他端部外面側には前記一端部内面側の面状ファスナー２２に絡合する面状ファスナー２３を取り付け、また帯状本体２０の外側面には例えば「パトロール」の文字２４を表示している。
【００３７】
この腕章Ｄを使用する時は、充電用電池６を帯状本体２０の内側のポケット２１に収納した状態で、帯状本体２０を着用者の腕に巻き付けて、一端部側の面状ファスナー２２と他端部側の面状ファスナー２３とを互いに絡合させることにより帯状本体２０を固定し、充電用電池６に設けてあるスイッチ（図示せず）をオンにすると、ＬＥＤライト４が例えば点滅を繰り返すようになり、従って夜間の安全パトロールする時には、ＬＥＤライト４の発光によって良く目立ち、非常に有効である。そして、充電用電池６の接続端子６ｏに図４の(b) に示すような充電用ＡＣアダプタ１２のコネクタ１２ｏを差し込むことによって、簡単に充電することができる。
【００３８】
また、図示は省略するが、夜間の歩行時やジョギング時などに、図７によって説明した腕章Ｄ又はこれと同じようなものを着用者の足首付近にズボンの上から巻き付けて固定させるようにすれば、ＬＥＤライトの発光によって、自分の存在を一層有効に知らせることができる。
【符号の説明】
【００３９】
Ａ，Ｂ        帽子（身体装着具）
Ｃ            ヘルメット用安全具（身体装着具）
Ｄ            腕章（身体装着具）
１            クラウン（身体装着具本体）
２            ヒサシ（身体装着具本体）
３，４        ＬＥＤライト
５            電線
６            充電用電池
６ｏ          接続端子
７            押し釦スイッチ
８            電池取付用基布
１１          ポケット
１８          取付用ベルト（身体装着具本体）
２０          帯状本体（身体装着具本体）
２１          ポケット
【図１】
0003159855.tif 000003
【図２】
0003159855.tif 000004
【図３】
0003159855.tif 000005
【図４】
0003159855.tif 000006
【図５】
0003159855.tif 000007
【図６】
0003159855.tif 000008
【図７】
0003159855.tif 000009